(57)【要約】【課題】高速連写によって得られた一連の画像の中から、簡単且つ迅速にベストショットを探し出すことができる画像表示装置を提供すること。【解決手段】ユーザが、画像選択操作部４２０を用いて所定の操作を行い、表示データ選択部４２４に再生表示画像の選択を行うよう指示を出す。これにより、表示データ選択部４２４内の焦点データ比較部４２６及び輝度データ比較部４２８のうち少なくとも一方において、それぞれ画像データ４０６と対応付けして記録メディア４０４に記録された焦点データ４１２又は輝度データ４１８に基づいて、再生表示画像の選択が行われる。その後、焦点データ比較部４２６により選択された再生表示画像が、画像表示部４２２に再生表示される。【選択図】      図７
2006238277.tif 000002
【特許請求の範囲】
【請求項１】
撮影レンズの焦点状態を演算する焦点演算手段と、
連続撮影モードで撮影された複数の画像データ、及び上記画像データに関するデータを記憶する記憶手段と、
上記記憶手段に記憶されているデータを読み出すための読出手段と、
上記読出手段で読み出された画像データを表示するための表示手段と、
上記表示手段に表示中の画像データである第１の画像データと、上記読出手段で新たに読み出された画像データである第２の画像データとを、上記焦点演算手段の演算結果に基づいて比較し、所定以上の差がある場合に、上記第１の画像に代わって上記第２の画像データを上記表示手段に表示させるように制御する表示制御手段と、
を具備することを特徴とするデジタルカメラ。
【請求項２】
上記画像データに関するデータは、上記焦点演算手段の演算結果を含み、
上記読出手段は、上記記憶手段に記憶された上記画像データを読み出すときに、上記焦点演算手段の演算結果も同時に読み出し、
上記表示制御手段は、上記読出手段によって読み出された上記第１の画像データと対応する上記焦点演算手段の第１の演算結果と、上記第２の画像データと対応する上記焦点演算手段の第２の演算結果とを比較し、上記第１の演算結果と上記第２の演算結果との間に所定以上の差がある場合に、上記表示手段に対して上記第１の画像データに代わって上記第２の画像データを表示させることを特徴とする請求項１に記載のデジタルカメラ。
【請求項３】
被写体の輝度を演算する測光演算手段と、
連続撮影モードで撮影された複数の画像データ、及び上記画像データに関するデータを記憶する記憶手段と、
上記記憶手段に記憶されているデータを読み出すための読出手段と、
上記読出手段で読み出された画像データを表示するための表示手段と、
上記表示手段に表示中の画像データである第１の画像データと、上記読出手段で新たに読み出された画像データである第２の画像データとを、上記測光演算手段の演算結果について比較し、所定以上の差がある場合に、上記第１の画像データに代わって上記第２の画像データを上記表示手段に表示させるように制御する表示制御手段と、
を具備することを特徴とするデジタルカメラ。
【請求項４】
上記画像データに関するデータは、上記測光演算手段の演算結果を含み、
上記読出手段は、上記記憶手段に記憶された上記画像データを読み出すときに、上記測光演算手段の演算結果も同時に読み出し、
上記表示制御手段は、上記読出手段によって読み出された上記第１の画像データと対応する上記測光演算手段の第１の演算結果と、上記第２の画像データと対応する上記測光演算手段の第２の演算結果とを比較し、上記第１の演算結果と上記第２の演算結果との間に所定以上の差がある場合に、上記表示手段に対して上記第１の画像データに代わって上記第２の画像データを表示させることを特徴とする請求項３に記載のデジタルカメラ。
【請求項５】
連続撮影モードで撮影された複数の画像データ、及び上記画像データに関するデータである画像関連データを記憶する記憶手段と、
上記画像関連データを取得するための画像関連データ演算手段と、
上記記憶手段に記憶されている画像データと該画像データに関する画像関連データとを読み出すための読出手段と、
上記読出手段で読み出された画像データを表示するための表示手段と、
上記表示手段に表示中の画像データである第１の画像データに関する画像関連データと、上記読出手段で新たに読み出された画像データである第２の画像データに関する画像関連データとを比較し、両者に所定以上の差がある場合に、上記第１の画像に代わって上記第２の画像を上記表示手段に表示させるように制御する表示制御手段と、
を具備することを特徴とするデジタルカメラ。
【請求項６】
上記画像関連データ演算手段は、撮影レンズの焦点状態を演算する焦点演算手段であることを特徴とする請求項５に記載のデジタルカメラ。
【請求項７】
上記画像関連データ演算手段は、被写体の輝度を演算する測光演算手段であることを特徴とする請求項５に記載のデジタルカメラ。
【請求項８】
上記画像関連データ演算手段は、撮影レンズの焦点状態を演算する焦点演算手段と、及び被写体の輝度を演算する測光演算手段とを含むことを特徴とする請求項５に記載のデジタルカメラ。
【発明の詳細な説明】
【技術分野】
【０００１】
本発明は、デジタルカメラに関し、特に撮影により取得した画像を再生表示するデジタルカメラに関する。
【背景技術】
【０００２】
近年のデジタルカメラでは、撮影時の動作モードとして単写モードと連写モードとを備えているものが多い。単写モードは、ユーザによるレリーズボタンの押操作に応答して１コマの画像の撮影が行われる動作モードである。一方、連写モードは、ユーザがレリーズボタンを押操作している間、撮影動作が繰り返され、これによって複数コマの画像の撮影が行われる動作モードである。ここで、連写モードにおける連写速度は、特に一眼レフレックスカメラにおいて高速化の傾向があり、将来的には１秒間に数１０コマに達することが予想されている。このような超高速の連写モードで撮影を行うと、１回の連続撮影で数１０コマ分の画像ファイルが記録媒体に記録されることになる。
【０００３】
ところで、連写モードで撮影する最大の理由は、ベストショットを確実に得るためである。したがって、連写後には、連写によって得られた一連の画像の中から、ベストショットの画像を簡単且つ迅速に探し出せることが重要である。このようなベストショットの画像を探す手法としては、画像選択用のボタンを操作して液晶モニタなどに１枚ずつ画像を表示させながら確認する手法が一般的である。しかし、このような手法では、連写によって撮影された画像の枚数が多くなると確認作業が煩雑になるおそれがある。
【０００４】
そこで、連写により撮影した画像の再生表示に関する技術として、種々の提案が為されている。例えば、特許文献１や特許文献２には、以下のような手法が提案されている。特許文献１では、連写によって撮影された画像を縮小して複数同時に表示させる（マルチインデックス表示）ようにしている。また、特許文献２では、最初の選択操作では代表画像（１枚又は複数枚）だけを表示させるようにしている。
【０００５】
また、この他にも、連写によって撮影された画像を１つの動画像として表示させるような手法もある。
【特許文献１】特開平１０−３０４３０１号公報
【特許文献２】特開２００１−２８５７７９号公報
【発明の開示】
【発明が解決しようとする課題】
【０００６】
ここで、特許文献１において提案されているマルチインデックス表示の場合、画像が縮小表示されているので画像の細部を確認し難い。また、特許文献２において提案されている代表画像を表示させる手法はベストショットを含む画像のグループを探すのには適しているが、ベストショットの画像を探すためには、グループの中で１枚ずつ画像を確認する必要があるため、余り効率が良くない。更に、連続撮影によって得られた画像を動画像として表示する手法は、画像の枚数が多くなると再生に時間がかかり、これに伴って画像の確認にも時間がかかってしまう。
【０００７】
ここで、高速連写ではほぼ同じ画像が大量に記録メディアに記録されている可能性が高いので、高速連写によって撮影された画像の中からベストショットの画像を効率良く探すには、このようなほぼ同じ画像を自動判別できるようにすることが望まれる。
【０００８】
本発明は、上記の事情に鑑みてなされたもので、高速連写によって得られた一連の画像の中から、簡単且つ迅速にベストショットを探し出すことができる画像表示装置を提供することを目的とする。
【課題を解決するための手段】
【０００９】
上記の目的を達成するために、本発明の第１の態様によるデジタルカメラは、撮影レンズの焦点状態を演算する焦点演算手段と、連続撮影モードで撮影された複数の画像データ、及び上記画像データに関するデータを記憶する記憶手段と、上記記憶手段に記憶されているデータを読み出すための読出手段と、上記読出手段で読み出された画像データを表示するための表示手段と、上記表示手段に表示中の画像である第１の画像と、上記読出手段で新たに読み出された画像である第２の画像とを、上記焦点演算手段の演算結果について比較し、所定以上の差がある場合に、上記第１の画像に代わって上記第２の画像を上記表示手段に表示させるように制御する表示制御手段と、を具備することを特徴とする。
【００１０】
上記の目的を達成するために、本発明の第２の態様によるデジタルカメラは、被写体の輝度を演算する測光演算手段と、連続撮影モードで撮影された複数の画像データ、及び上記画像データに関するデータを記憶する記憶手段と、上記記憶手段に記憶されているデータを読み出すための読出手段と、上記読出手段で読み出された画像データを表示するための表示手段と、上記表示手段に表示中の画像である第１の画像と、上記読出手段で新たに読み出された画像である第２の画像とを、上記測光演算手段の演算結果について比較し、所定以上の差がある場合に、上記第１の画像に代わって上記第２の画像を上記表示手段に表示させるように制御する表示制御手段と、を具備することを特徴とする。
【００１１】
上記の目的を達成するために、本発明の第３の態様によるデジタルカメラは、撮影レンズの焦点状態を演算する焦点演算手段と、被写体の輝度を演算する測光演算手段と、連続撮影モードで撮影された複数の画像データ、及び上記画像データに関するデータを記憶する記憶手段と、上記記憶手段に記憶されているデータを読み出すための読出手段と、上記読出手段で読み出された画像データを表示するための表示手段と、上記表示手段に表示中の画像である第１の画像と、上記読出手段で新たに読み出された画像である第２の画像とを、上記焦点演算手段の演算結果及び上記測光演算手段の演算結果についてそれぞれ比較し、両演算結果について所定以上の差があると判定した場合に、上記第１の画像に代わって上記第２の画像を上記表示手段に表示させるように制御する表示制御手段と、を具備することを特徴とする。
【発明の効果】
【００１２】
本発明によれば、高速連写によって得られた一連の画像の中から、簡単且つ迅速にベストショットを探し出すことができる画像表示装置を提供することができる。
【発明を実施するための最良の形態】
【００１３】
以下、図面を参照して、本発明の実施形態について説明する。
【００１４】
［第１実施形態］
図１は、本発明の第１実施形態に係るデジタルカメラ（以下、単にカメラと称する）の構成を示すために、該デジタルカメラ本体の一部を切断した場合に目視することができる内部構成を概略的に示した斜視図である。ここで、同図に示すように、本実施形態ではカメラ１として、一眼レフレックス方式のカメラを用いる。なお、本実施形態は一眼レフレックス方式のカメラに限らず適用することが出来るのは勿論である。
【００１５】
以下、図１を参照して、本実施形態に係るカメラの構成について説明する。
【００１６】
まず、図１に示すように、カメラ１は、レンズ鏡筒１００とカメラ本体２００とから構成される。上記レンズ鏡筒１００内部には、複数の光学レンズから構成される撮影光学系１０２が配設されている。該撮影光学系１０２は、後述するレンズ駆動機構により光軸方向に移動自在に構成されており、被写体（不図示）からの光束をカメラ本体２００の内部方向に透過させる。
【００１７】
カメラ本体２００の前面側の略中央部には、撮影光学系１０２を透過した光束を当該カメラ本体２００の内部に導くための、所定の口径を有する露光用開口が形成されている。この露光用開口の周縁部には撮影光学系装着部２００ａが形成されている。この撮影光学系装着部２００ａを介して、上記レンズ鏡筒１００は、カメラ本体２００に着脱自在となっている。このため、カメラ本体２００には、撮影時の用途に応じた種々のレンズ鏡筒１００を装着できる。
【００１８】
さらに、カメラ本体２００の内部には、ファインダ装置２０２、シャッタ部２０８、撮像ユニット２１１、回路基板２００ｂなどの種々の構成部材が、それぞれ所定の位置に配設されている。
【００１９】
上記ファインダ装置２０２は、クイックリターンミラー（以下、メインミラーと称する）２０２ａと、フォーカシングスクリーン２０２ｂと、ペンタプリズム２０２ｃと、接眼レンズ２０２ｄとから構成されている。
【００２０】
上記メインミラー２０２ａは、光入射面がハーフミラーになっており、撮影光学系１０２の光軸上の位置（図１に示す位置  以下、ダウン位置と称する）と光軸から退避する位置（以下、アップ位置と称する）との間で移動自在に構成されている。通常状態において、メインミラー２０２ａは、撮影光学系１０２の光軸から所定の角度、例えば角度４５度を有して配置されるようになっている。このような構成により、カメラ１が通常状態にあるときには、撮影光学系１０２を透過した光束の一部がメインミラー２０２ａで反射され、一部がメインミラー２０２ａを透過するようになっている。ここで、メインミラー２０２ａの裏面には、サブミラー２０３が設置されており、メインミラー２０２ａを透過した光束は、後述するＡＦセンサユニットに入射する。
【００２１】
また、メインミラー２０２ａで反射された光束はフォーカシングスクリーン２０２ｂに結像される。フォーカシングスクリーン２０２ｂに結像された像は、ペンタプリズム２０２ｃにおいて反転されて正立像になる。ペンタプリズム２０２ｃにおいて形成された像は、接眼レンズ２０２ｄにおいて拡大される。このような構成により、ユーザが被写体の像を目視確認することが可能である。
【００２２】
一方、カメラ１が撮影動作状態にあるときには、メインミラー２０２ａは、撮影光学系１０２の光軸から退避する位置である、所定のアップ位置に移動される。このとき、撮影光学系１０２を透過した被写体（不図示）からの光束は、シャッタ部２０８を介して撮像ユニット２１１に入射する。シャッタ部２０８は、例えばフォーカルプレーン式のシャッタ機構などから構成されている。また、シャッタ部２０８は、後述するシャッタ制御回路によって開閉可能に構成される。該シャッタ部２０８の開閉時間が制御されることにより、シャッタ部２０８の後方に配設された撮像ユニット２１１の露光時間等が制御される。
【００２３】
また、撮像ユニット２１１は、撮像素子２１２、防塵フィルタ（防塵ガラスともいう）２１３、及び後述する圧電素子から構成されている。
【００２４】
上記撮像素子２１２は、光電変換面を形成する多数の光電変換素子（例えば、フォトダイオード）などから構成され、撮像素子２１２の光電変換面に入射した光束は電気信号に変換される。
【００２５】
また、上記防塵フィルタ２１３は、撮像素子２１２の前面側に配設されている。これにより、防塵フィルタ２１３によって、撮像素子２１２の光電変換面に塵埃が付着することを防止することが出来る。また、防塵フィルタ２１３は、後述する圧電素子によって振動可能に構成されており、防塵フィルタ２１３が振動されることにより、防塵フィルタ２１３に付着した塵埃が払い落とされる。なお、防塵フィルタ２１３は、例えばガラス等の透明部材で構成されている。
【００２６】
また、同図に示す回路基板２００ｂには、当該カメラ１の各種電気回路が実装されている。
【００２７】
以下、本実施形態に係るカメラ内部の回路構成を、詳細に説明する。図２は、本実施形態に係るカメラ内部の回路構成を詳細に示したブロック図である。なお、既出の構成要素については、そのときに付した参照符号と同様の参照符号を付した。
【００２８】
まず、上述したように、カメラ１は、レンズ鏡筒１００とカメラ本体２００とから構成されている。
【００２９】
ここで、レンズ鏡筒１００の各部の制御は、レンズ制御用マイクロコンピュータ（以下、Ｌｕｃｏｍと称する）１０１によって行われる。一方、カメラ本体２００の各部の制御はボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００３０】
また、上述したように、レンズ鏡筒１００の内部には、撮影光学系１０２が配設されている。ここで、図２においては、撮影光学系１０２を構成する複数の光学レンズを１つの光学レンズで代表して図示している。この撮影光学系１０２は、レンズ駆動機構１０３内に存在する図示しないＤＣモータにより、その光軸方向に駆動される。
【００３１】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００３２】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００３３】
また、カメラ本体２００の内部には、メインミラー２０２ａ、フォーカシングスクリーン２０２ｂ、ペンタプリズム２０２ｃ、接眼レンズ２０２ｄから構成されるファインダ装置が設けられている。カメラ１が通常状態にある場合には、上述したように、撮影光学系１０２を介して入射した被写体からの光束の一部がメインミラー２０２ａで反射される。これによって、フォーカシングスクリーン２０２ｂ、ペンタプリズム２０２ｃ、及び接眼レンズ２０２ｄを介して観察用の像が形成される。
【００３４】
ここで、ペンタプリズム２０２ｃの近傍には測光回路２０４が設けられており、ペンタプリズム２０２ｃを通過した光束の一部が測光回路２０４内の図示しない輝度センサに入射するようになっている。測光回路２０４では、輝度センサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００３５】
また、メインミラー２０２ａを透過してサブミラー２０３で反射された光束は自動焦点調節処理（ＡＦ処理）を行うためのＡＦセンサユニット２０５に導かれる。ＡＦセンサユニット２０５の内部には、例えば位相差方式のＡＦを行うためのＡＦセンサが設けられている。このＡＦセンサに入射した光束は電気信号に変換される。ＡＦセンサユニット２０５のＡＦセンサからの出力は、ＡＦセンサ駆動回路２０６を介してＢｕｃｏｍ２０１へ送信される。そして、Ｂｕｃｏｍ２０１において測距処理が行われ、撮影光学系１０２の焦点状態（位相差方式の場合にはデフォーカス量）が演算される。この結果は、Ｂｕｃｏｍ２０１からＬｕｃｏｍ１０１に送信される。Ｌｕｃｏｍ１０１では、Ｂｕｃｏｍ２０１から通知された焦点状態に基づいて撮影光学系１０２の駆動制御が行われる。
【００３６】
また、カメラ１が撮影動作状態にあるときには、メインミラー２０２ａが撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００３７】
メインミラー２０２ａがアップ位置に移動されることによって、撮影光学系１０２を透過した被写体からの光束はシャッタ部２０８の方向に入射する。フォーカルプレーン式のシャッタ部２０８を構成する先幕と後幕とを駆動するためのばね力は、シャッタチャージ機構２０９によってチャージされる。また、先幕と後幕の駆動は、シャッタ制御回路２１０によって行われる。これらシャッタチャージ機構２０９及びシャッタ制御回路２１０は、Ｂｕｃｏｍ２０１によって制御される。
【００３８】
シャッタ部２０８を通過した光束は、シャッタ部２０８の後方に配置された撮像ユニット２１１内部の撮像素子２１２に入射する。なお、該撮像素子２１２は、上述したように、撮像素子２１２と撮影光学系１０２との間に配設された防塵フィルタ２１３によって保護されている。
【００３９】
ここで、上記圧電素子２１４は、上記防塵フィルタ２１３を所定の振動周波数で振動させるために、防塵フィルタ２１３の周縁部に取り付けられている。圧電素子２１４は、２つの電極を有しており、防塵フィルタ駆動回路２１５によって駆動される。また、防塵フィルタ２１３の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００４０】
なお、上記撮像素子２１２と上記圧電素子２１４とは、防塵フィルタ２１３を一面とするケース内に一体的に収納されている。これにより、撮像素子２１２への塵埃の付着を確実に防止することができる。
【００４１】
また、上記撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。
【００４２】
なお、温度測定回路２１６の温度測定ポイントは、上記防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００４３】
上記撮像素子２１２で得られた電気信号（画像信号）は、所定タイミング毎に撮像インターフェイス回路２１７を介して読み出されてデジタル化される。撮像インターフェイス回路２１７でデジタル化されて得られた画像データは、画像処理コントローラ２１８を介してＳＤＲＡＭなどで構成されたバッファメモリ２１９に格納される。ここで、バッファメモリ２１９は、画像データなどのデータの一時保管用メモリであり、画像データに各種処理が施される際のワークエリアなどに利用される。
【００４４】
また、電子ビューファインダ（ＥＶＦ）表示が行われる時には、撮像インターフェイス回路２１７を介して読み出され、バッファメモリ２１９に格納された画像データが画像処理コントローラ２１８によって読み出される。画像処理コントローラ２１８によって読み出された画像データは、ＥＶＦ表示用のホワイトバランス補正などの画像処理が施された後、バッファメモリ２１９に格納される。その後、バッファメモリ２１９に格納された画像データは、１コマ単位で画像処理コントローラ２１８によって読み出されてビデオ信号に変換される。このビデオ信号は、表示用の所定のサイズにリサイズされた後、表示手段としての液晶モニタ２２２に表示される。なお、ＥＶＦ表示は、撮影動作前、即ちメインミラー２０２ａがアップ位置にある場合にのみ行われる。
【００４５】
また、撮影終了後には、撮像インターフェイス回路２１７を介して読み出され、バッファメモリ２１９に格納された画像データが画像処理コントローラ２１８によって読み出される。画像処理コントローラ２１８によって読み出された画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み出されてビデオ信号に変換され、表示用の所定のサイズにリサイズされた後、液晶モニタ２２２に出力表示される。ユーザは、液晶モニタ２２２に表示された画像により、撮影した画像を確認することができる。
【００４６】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとしてＦｌａｓｈＲＯＭ２２０や記録メディア２２１に記録される。ここで、ＦｌａｓｈＲＯＭ２２０はカメラ１に内蔵のメモリを想定しており、記録メディア２２１はカメラ１の外部に装着されるものを想定している。記録メディア２２１としては、例えばカメラ１に着脱自在に構成されたメモリカードやハードディスクドライブなどが用いられる。
【００４７】
また、ＦｌａｓｈＲＯＭ２２０や記録メディア２２１に記録されたＪＰＥＧファイルから画像を再生する際には、ＦｌａｓｈＲＯＭ２２０や記録メディア２２１に記録されたＪＰＥＧデータが画像処理コントローラ２１８によって読み出されて伸長される。その後、この伸長データがビデオ信号に変換された後、表示用の所定のサイズにリサイズされ、液晶モニタ２２２に出力表示される。
【００４８】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００４９】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００５０】
更に、Ｂｕｃｏｍ２０１には、当該カメラ１の動作状態を表示出力によってユーザに告知するための動作表示用ＬＣＤ２２６と、当該カメラ１の各種操作部材の操作状態を検出するためのカメラ操作スイッチ（ＳＷ）２２７とが接続されている。
【００５１】
以下、本実施形態に係るカメラの各種操作部材について説明する。図３乃至図６は、本実施形態に係るカメラの操作部材について説明するための、カメラ１の外観図である。なお、図３はカメラ１の上面図を示し、図４はカメラ１の正面図を示し、図５はカメラ１の側面図を示し、図６はカメラ１の背面図を示す。
【００５２】
まず、図３に示すように、カメラ１の上面には、パワースイッチレバー３０１と、レリーズボタン３０２と、モードダイヤル３０３と、サブダイヤル３０４と、ＩＳＯボタン３０５と、露出補正ボタン３０６と、ホワイトバランス（ＷＢ）ボタン３０７と、画質モードボタン３０８と、フラッシュモードボタン３０９と、ＬＩＧＨＴボタン３１０とが設けられている。
【００５３】
パワースイッチレバー３０１は、当該カメラ１の電源のオン／オフするための操作部材である。このパワースイッチレバー３０１が回動操作されることにより、当該カメラ１のメイン電源のオン／オフが切り換えられる。
【００５４】
レリーズボタン３０２は、撮影準備動作及び露光動作を実行させるためのボタンである。このレリーズボタンは、第１レリーズスイッチと第２レリーズスイッチの２段式のスイッチで構成されており、レリーズボタン３０２が半押し操作されることによって第１レリーズスイッチがＯＮされて測光処理や測距処理などの撮影準備動作が実行される。また、レリーズボタン３０２が全押し操作されることによって第２レリーズスイッチがＯＮされて露光動作が実行される。
【００５５】
モードダイヤル３０３は、撮影時の撮影モードを設定するための操作部材である。このモードダイヤル３０３が回転操作されることによって撮影時の撮影モードが設定される。図３の例では、例えばプログラムＡＥモード（Ｐ）、絞り優先ＡＥモード（Ａ）、シャッタ優先ＡＥモード（Ｓ）、マニュアルモード（Ｍ）、シーンモード（ＳＣＮ）の５つのモードが設定可能である。
【００５６】
プログラムＡＥモードは、カメラ１によって演算された露光条件（絞り値及びシャッタスピード）に従って露光動作が行われるモードである。絞り優先ＡＥモードは、ユーザによって設定された絞り値に応じてシャッタスピードが設定されて露光が行われるモードである。シャッタ優先ＡＥモードは、ユーザによって設定されたシャッタスピードに応じて絞り値が設定されて露光が行われるモードである。マニュアルモードは、ユーザによって設定された絞り値及びシャッタスピードで露光が行われるモードである。シーンモードは、種々の撮影シーンに適した条件で撮影が行われるモードである。なお、シーンモードにおいては、モードダイヤル３０３をＳＣＮに設定した状態で、所望のシーンをメニュー画面上で設定する必要がある。
【００５７】
サブダイヤル３０４は、他の操作部材が押された状態で操作される操作部材である。このサブダイヤル３０４が回転操作されることにより、現在ユーザによって押されている操作部材に係る機能の設定変更を行うことが可能である。ここで、サブダイヤル３０４を利用した設定が行われているときには、そのときのカメラ１の動作状態が動作表示用ＬＣＤ２２６に表示される。ユーザはこの表示を見ながら設定変更を行うことができる。
【００５８】
ＩＳＯボタン３０５は、露光動作時の撮像素子感度（フィルムのＩＳＯ感度に相当する）を設定するためのボタンである。このＩＳＯボタン３０５が押されている状態でダイヤル操作がなされることにより、露光動作時の撮像素子感度の設定変更がなされる。
【００５９】
露出補正ボタン３０６は、露光動作時の露光量を補正するための露出補正値を設定するためのボタンである。この露出補正ボタン３０６が押されている状態でダイヤル操作がなされることにより、露出補正値の値が設定変更される。露出補正値を設定することにより、例えばプログラムＡＥモードなどにおいてカメラ１により自動的に演算された露光量が適正でない場合などでも、これを補正して撮影を行うことができる。
【００６０】
ＷＢボタン３０７は、ホワイトバランスをどのように行うのかを設定するためのボタンである。このＷＢボタン３０７が押されている状態でダイヤル操作がなされることにより、ホワイトバランスの設定が、オートホワイトバランス又はプリセットホワイトバランスに変更される。
【００６１】
オートホワイトバランスでは、ホワイトバランス補正がカメラ１によって自動的に行われる。また、プリセット光源ホワイトバランスでは、晴天時の太陽光や、蛍光灯、電球などといった種々の光源に応じて予め設定された条件でホワイトバランス補正が行われる。
【００６２】
画質モードボタン３０８は、画像記録時の画質モード（画像サイズと圧縮率）を設定するためのボタンである。この画質モードボタン３０８が押されている状態でダイヤル操作がなされることにより画質モードが変更される。
【００６３】
フラッシュモードボタン３０９は、当該カメラ１に図示しない外部フラッシュ装置が装着されている場合に、外部フラッシュ装置の発光モードを設定するためのボタンである。このフラッシュモードボタン３０９が押されている状態でダイヤル操作がなされることにより、発光モードが、例えばオート発光モード、赤目軽減発光モード、スローシンクロモード、強制発光モードの順で変更される。
【００６４】
オート発光モードは、外部フラッシュ装置の発光量などの条件がカメラ１によって自動的に設定されるモードである。赤目軽減発光モードは、撮影に先立って赤目軽減用のプリ発光がなされるモードである。スローシンクロモードは、低速シャッタを併用してフラッシュ発光が行われるモードであり、夜景撮影などに有効なモードである。強制発光モードは、撮影時の条件によらずにフラッシュを発光させるモードである。
【００６５】
ＬＩＧＨＴボタン３１０は、動作表示用ＬＣＤ２２６のバックライトを点灯又は消灯するためのボタンである。
【００６６】
また、図４に示すように、カメラ１の正面には、ワンタッチホワイトバランス（ＷＢ）ボタン３１１が設けられている。このワンタッチＷＢボタン３１１は、オートホワイトバランスやプリセットホワイトバランスで対応できないホワイトバランス条件を登録するためのボタンである。
【００６７】
また、図５に示すように、カメラ１の側面には、オートブラケット（ＢＫＴ）ボタン３１２と、測光モードボタン３１３と、ＤＲＩＶＥモードボタン３１４と、フォーカスモードレバー３１５とが設けられている。
【００６８】
ＢＫＴボタン３１２は、ブラケット撮影時の撮影枚数や露出補正量、ホワイトバランスゲインを設定するためのボタンである。ブラケット撮影では、露光量やホワイトバランスゲインが異なる複数枚の画像が撮影される。ＢＫＴボタン３１２が押されている状態でダイヤル操作がなされることにより、撮影枚数や露出補正量、ホワイトバランスゲインが変更される。
【００６９】
測光モードボタン３１３は、測光処理時の測光モードを設定するためのボタンである。この測光モードボタン３１３が押されている状態でダイヤル操作がなされることにより、測光モードが、例えばスポット測光モード、中央部重点平均測光モード、評価測光モードの順で変更される。
【００７０】
スポット測光モードは、画面内の極狭い範囲内の光量に基づいて測光処理が行われるモードである。また、中央部重点平均測光モードは、画面内の中央部について重点的に測光処理が行われるモードである。更に、評価測光モードは、画面内が複数の領域に分割されて測光処理され、分割領域毎に得られた結果が評価されることにより最終的な測光結果が得られるモードである。
【００７１】
ＤＲＩＶＥモードボタン３１４は、カメラ１の動作モードを設定するためのボタンである。このＤＲＩＶＥモードボタン３１４が押されている状態でダイヤル操作がなされることにより、動作モードが、例えば単写モード、連写（連続撮影）モード、セルフモード、リモコンモードの順で変更される。
【００７２】
単写モードは、ユーザによるレリーズボタン３０２の全押操作に応答して１コマの画像の撮影が行われるモードである。また、連写モードは、ユーザがレリーズボタン３０２を全押操作している間、撮影動作が繰り返され、これによって複数コマの画像の撮影が行われるモードである。セルフモードは、レリーズボタン３０２の全押操作後、所定時間後に露光動作が行われる、所謂セルフタイマ撮影が行われるモードである。また、リモコンモードは、カメラ１を図示しないリモートコントローラによって操作可能にするためのモードである。
【００７３】
フォーカスモードレバー３１５は、撮影時のＡＦモードを設定するための操作部材である。このフォーカスモードレバー３１５が切り替えられることにより、ＡＦモードが、例えばシングルＡＦモード、コンティニュアスＡＦモード、パワーフォーカス（ＰＦ）モードの順で変更される。
【００７４】
シングルＡＦモードは、一旦、撮影光学系１０２の焦点制御が行われた後は、レリーズボタン３０２の半押しが解除されるまで撮影光学系１０２の焦点状態が固定されるモードである。コンティニュアスＡＦモードは、被写体の動きに追従して撮影光学系１０２の焦点制御が行われるモードである。ＰＦモードは、ユーザが手動で撮影光学系１０２の焦点調節を行うことができるモードである。
【００７５】
また、図６に示すように、カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５とが設けられている。
【００７６】
メインダイヤル３１６は、サブダイヤル３０４と同一の機能を有する操作部材であり、このメインダイヤル３１６が回転操作されることにより、現在ユーザによって押されている操作部材に係る機能の設定変更を行うことが可能である。
【００７７】
ＡＦフレームボタン３１７は、撮影時のＡＦ方式を選択するためのボタンである。このＡＦフレームボタン３１７が押されている状態でダイヤル操作がなされることにより、ＡＦ方式が、例えばマルチＡＦ又はスポットＡＦに変更される。
【００７８】
マルチＡＦでは、画面内の複数測距点の焦点状態が検出される。一方、スポットＡＦでは、画面内の一点（複数候補の中から選択できる）の焦点状態が検出される。
【００７９】
ＡＥロックボタン３１８は、露光条件を固定するためのボタンである。このＡＥロックボタン３１８が押されている間は、そのとき演算されている露光量が固定される。
【００８０】
再生モードボタン３１９は、カメラ１の動作モードを、ＦｌａｓｈＲＯＭ２２０や記録メディア２２１に記録されたＪＰＥＧファイルから画像を再生できる再生モードに切り替えるためのボタンである。
【００８１】
消去ボタン３２０は、再生モード中において画像データ（ＪＰＥＧファイル）をＦｌａｓｈＲＯＭ２２０や記録メディア２２１から消去するためのボタンである。
【００８２】
プロテクトボタン３２１は、再生モード中において、誤って画像データが消去されないように、画像データにプロテクトをかけるためのボタンである。
【００８３】
情報表示ボタン３２２は、画像データの付加情報（例えば、Ｅｘｉｆ情報）に基づく画像情報を表示させるためのボタンである。
【００８４】
メニューボタン３２３は、液晶モニタ２２２にメニュー画面を表示させるためのボタンである。このメニュー画面は、複数の階層構造からなるメニュー項目によって構成されている。ユーザは、所望のメニュー項目を十字ボタン３２４で選択することができ、ＯＫボタン３２５で選択した項目を決定することができる。ここで、メニュー項目としては、例えばＦｌａｓｈＲＯＭ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニューなどがある。
【００８５】
例えば、シーンモードの設定時には、モードダイヤル３０３がシーンモード（ＳＣＮ）に設定されている状態で、メニュー画面上で所望のシーンを選択することができる。このシーンの例としては、ポートレート、スポーツ、記念撮影、風景、夜景などがある。これら選択されたシーンに応じて露光条件、フラッシュ発光の条件、測光モード、ＡＦ方式、連写間隔などの撮影時の撮影条件が設定される。
【００８６】
以下、本実施形態に係るカメラにおける制御の流れの概念を説明する。
【００８７】
図７は、本実施形態に係るデジタルカメラにおける、画像記録時及び画像再生表示時における制御の流れの概念図である。なお、同図（ａ）は、画像記録時（連続撮影モード時）における制御に関する概念図であり、同図（ｂ）は、同図（ａ）に示す制御に従って画像記録されたデータを再生表示する際の制御に関する概念図である。
【００８８】
まず、図７に示す各構成部と、上述した図６における各構成要素との対応関係を説明する。
【００８９】
撮像部４００は、例えば図２における撮像ユニット２１１及び撮像インターフェイス回路２１７が相当する。ここでは、撮像ユニット２１１内の撮像素子２１２を、撮像インターフェイス回路２１７で駆動して被写体を撮像し、撮像データを取得する。
【００９０】
画像処理部４０２は、例えば図２における画像処理コントローラ２１８が相当する。ここでは、上記撮像部４００の出力である撮像データに画像処理を施す。
【００９１】
記録メディア４０４は、例えば図２における記録メディア２２１に相当する。該記録メディア４０４は、データを記録する。
【００９２】
画像データ４０６は、上記画像処理部４０２の出力である画像データである。該画像データは、上記記録メディア４０４に記録される。
【００９３】
焦点検出センサ４０８は、例えば図２におけるＡＦセンサユニット２０５内のＡＦセンサに相当する。したがって、該焦点検出センサ４０８（ＡＦセンサ）は、例えば図２における回路構成では、ＡＦセンサ駆動回路２０６により制御され、所定の焦点検出データを出力する。
【００９４】
焦点演算部４１０は、例えば図２におけるボディ制御用マイクロコンピュータ（Ｂｕｃｏｍ）２０１、及びレンズ制御用マイクロコンピュータ（Ｌｕｃｏｍ）１０１が、その機能を担う。具体的には、上記焦点検出センサ４０８（ＡＦセンサユニット２０５内のＡＦセンサ）において検出された信号が、ＡＦセンサ駆動回路２０６を介して、焦点演算部４１０（Ｂｕｃｏｍ２０１）へ送信される。これに応じて、焦点演算部４１０（Ｂｕｃｏｍ２０１）において測距処理が行われて撮影光学系１０２の焦点状態が演算され、焦点調節に必要な撮影光学系１０２（図２参照）の駆動量が演算される。そして、ここで演算された駆動量に基づいて撮影光学系１０２の駆動制御が、焦点演算部４１０（Ｌｕｃｏｍ１０１）により行われて合焦状態を得る。
【００９５】
焦点データ４１２は、上記焦点演算部４１０によって演算された撮影光学系１０２の焦点状態に関するデータである。該焦点データ４１２は、画像データ４０６の画像関連データとして、画像データ４０６と共に上記記録メディア４０４に記録される。
【００９６】
輝度検出センサ４１４は、例えば図２における測光回路２０４内のＡＥセンサ（輝度センサ）が対応する。ここでは、輝度検出が行われる。
【００９７】
輝度演算部４１６は、例えば図２においては、ボディ制御用マイクロコンピュータ２０１が、その機能を担う。ここでは、上記輝度検出センサ４１４の出力から、被写体の輝度情報を演算する。
【００９８】
輝度データ４１８は、上記輝度演算部４１６による演算された被写体（不図示）の輝度に関するデータである。該輝度データ４１８は、上記画像データ４０６の画像関連データとして、画像データ４０６と共に、上記記録メディア４０４に記録される。
【００９９】
画像選択操作部４２０は、画像再生表示を行う際にユーザが操作する操作スイッチ群である。具体的には、例えば図６に示す十字ボタン３２４が相当する。
【０１００】
画像表示部４２２は、例えば図２における液晶モニタ２２２に相当する。
【０１０１】
表示データ選択部４２４は、後述する焦点データ比較部４２６及び輝度データ比較部４２８を備える。ここでは、上記記録メディア４０４から読み出した最新の画像データに関する画像関連データと、それ以前の画像データに関する画像関連データとを比較し、最新の画像データを上記画像表示部４２２に再生表示するか否かを判定する。
【０１０２】
焦点データ比較部４２６は、上述した上記表示データ選択部４２４における再生表示するか否かの判定として、焦点データ４１２を用いて該判定を行う。
【０１０３】
輝度データ比較部４２８は、上述した上記表示データ選択部４２４における再生表示するか否かの判定として、輝度データ４１８を用いて該判定を行う。
【０１０４】
次に、上述した各構成部による本実施形態に係るカメラにおける制御の流れの概念を説明する。
【０１０５】
まず、図７（ａ）を参照して、画像撮像時及び記録時の制御の流れについて説明する。なお、ここでは本実施形態における画像撮像時及び記録時の制御の流れを概念的に説明することを目的とし、該制御の詳細な説明は図８のフローチャートを用いて後述する。
【０１０６】
同図に示すように、撮像部４００により撮像及び取得された撮像データは、画像処理部４０２へ送られて所定の画像処理を施された後、画像データ４０６として記録メディア４０４に記録される。
【０１０７】
また、上記撮像部４００による撮像時には、各撮像画像毎に焦点検出センサ４０８により焦点検出が行われ、該検出結果に基づき、上記焦点演算部４１０にて演算処理が施された焦点データ４１２が、上記画像データ４０６と対応付けられて上記記録メディア４０４に記録される。
【０１０８】
さらに、上記撮像部４００による撮像時には、各画像毎に輝度検出センサ４１４により測光が行われ、該測光結果に基づき、上記輝度演算部４１６にて演算処理が施された輝度データ４１８が、上記画像データ４０６と対応付けられて上記記録メディア４０４に記録される。
【０１０９】
つまり、本実施形態では、画像撮像時に、各画像データ４０６毎に対応する焦点データ４１２及び輝度データ４１８を、上記画像データ４０６と共に記録メディア４０４に記録する。
【０１１０】
なお、上記画像データ４０６と、上記焦点データ４１２及び上記輝度データ４１８とは、互いに対応付けされて上記記録メディア４０４に記録されるのであれば、どのような形で記録してもよい。例えば、上記画像データ４０６と、上記焦点データ４１２及び上記輝度データ４１８とをそれぞれ別ファイルとして上記記録メディア４０４に記録してもよいし、上記画像データ４０６のヘッダ情報に上記焦点データ４１２及び上記輝度データ４１８を含める形で記録しても勿論よい。
【０１１１】
ここでは、上述したように、連続撮影モードにて画像撮影を行うことを想定している。したがって、短時間に多数の画像データを撮像及び記録することになる。ここで、本実施形態では、上述のようにして記録メディア４０４に記録した焦点データ４１２及び輝度データ４１８を、上記多数の画像データ４０６の中からベストショットを検索する際に、再生表示させる画像データ４０６の選択の判定に用いる。
【０１１２】
次に、図７（ｂ）を参照して、ベストショット検索の際の画像再生表示における制御の流れの概念を説明する。また、ここでは本実施形態における制御の流れを概念的に説明することを目的とし、該制御の詳細な説明は図９乃至図１４のフローチャートを用いて後述する。
【０１１３】
なお、本実施形態では、特に焦点データ４１２に基づいて、再生表示画像の選択を行う場合を説明する（後述する第２実施形態において、輝度データ４１８に基づく再生表示画像の選択を行う場合を説明する）。
【０１１４】
まず、ユーザが、画像選択操作部４２０を用いて所定の操作を行い、表示データ選択部４２４に再生表示画像の選択を行うよう指示を出す。これにより、上記表示データ選択部４２４内の焦点データ比較部４２６において、上記画像データ４０６と対応付けして記録メディア４０４に記録された焦点データ４１２に基づいて、再生表示画像の選択が行われる（詳細は、後述する図１２に示すサブルーチンのフローチャートの説明を参照）。
【０１１５】
その後、上記焦点データ比較部４２６により選択された再生表示画像が、画像表示部４２２に再生表示される。
【０１１６】
以下、図８に示すフローチャートを参照して、本実施形態に係るカメラの撮影時における動作制御を説明する。なお、この図８のフローチャートにおける処理は、ユーザによってレリーズボタン３０２が半押しされた時点で開始される。
【０１１７】
まず、ユーザによってレリーズボタン３０２が半押しされると、第１レリーズスイッチがＯＮされる。これに応じて、測光回路２０４において測光処理が行われて輝度データが生成される。この結果は、Ｂｕｃｏｍ２０１に送信され、Ｂｕｃｏｍ２０１において露光量が演算される（ステップＳ１）。次に、ＡＦセンサユニット２０５において検出された信号がＡＦセンサ駆動回路２０６を介してＢｕｃｏｍ２０１へ送信される。これに応じて、Ｂｕｃｏｍ２０１において測距処理が行われて撮影光学系１０２の焦点状態が演算される。そして、この焦点状態に応じてＬｕｃｏｍ１０１において焦点調節に必要な撮影光学系１０２の駆動量が演算される。そして、ここで演算された駆動量に基づいて撮影光学系１０２の駆動が行われる（ステップＳ２）。
【０１１８】
その後、ユーザによって第２レリーズスイッチがＯＮされたか否か、即ちレリーズボタン３０２が全押しされたか否かが判定される（ステップＳ３）。ステップＳ３において、第２レリーズスイッチがＯＮされていない場合には、ステップＳ３からステップＳ１９に分岐して、第１レリーズスイッチがＯＮのままであるか否かが判定される（ステップＳ１９）。ステップＳ１９の判定において、第１レリーズスイッチがＯＮのままである場合には、ステップＳ１９からステップＳ３に戻る。一方、ステップＳ１９の判定において、第１レリーズスイッチがＯＦＦされた場合には、図８に示すフローチャートの処理が終了され、図示しないカメラ１のメインの処理に復帰する。
【０１１９】
また、ステップＳ３の判定において、第２レリーズスイッチがＯＮされた場合には、ステップＳ３からステップＳ４に分岐して、メインミラー２０２ａがアップ位置に移動される（ステップＳ４）。
【０１２０】
つづいて、ステップＳ１で演算された露光量に基づいて絞り１０４の絞り込みが行われる（ステップＳ５）。次に、撮像素子２１２の撮像動作が開始される（ステップＳ６）。その後、ステップＳ１で演算された露光量に基づいてシャッタ部２０８の開閉駆動が行われる（ステップＳ７）。シャッタ部２０８が閉じられた後、撮像素子２１２の撮像動作が停止される（ステップＳ８）。
【０１２１】
上記撮像素子２１２で得られた電気信号（画像信号）は、所定タイミング毎に撮像インターフェイス回路を介して読み出されてデジタル化される。さらに、撮像インターフェイス回路２１７でデジタル化されて得られた画像データは、画像処理コントローラ２１８によって、ホワイトバランス補正や、階調補正、色補正などの周知の画像処理が施される（Ｓ９）。
【０１２２】
その後、上記画像データはバッファメモリ２１９に格納される（ステップＳ１０）。なお、バッファメモリ２１９は、高速連写によって撮影される多数の画像データを一時格納するのに十分な容量を有しているものである。
【０１２３】
次に、絞り１０４が開放され（ステップＳ１１）、メインミラー２０２ａがダウン位置に移動される（ステップＳ１２）。
【０１２４】
続いて、カメラ１の動作モードが連写モードであるか否かが判定される（ステップＳ１３）。ここで、連写モードであると判定された場合は、ステップＳ２０に分岐して、第２レリーズスイッチがＯＮのままであるか否かが判定される（ステップＳ２０）。
【０１２５】
ステップＳ２０において、第２レリーズスイッチがＯＮのままであると判定された場合は、次の画像の撮影が実行される。まず、ステップＳ２１に分岐して、再び測光回路２０４において測光処理が行われて輝度データが生成される。この結果は、Ｂｕｃｏｍ２０１に送信され、Ｂｕｃｏｍ２０１において露光量が演算される（ステップＳ２１）。
【０１２６】
さらに、続くステップＳ２２において、ＡＦセンサユニット２０５において検出された信号がＡＦセンサ駆動回路２０６を介してＢｕｃｏｍ２０１へ送信される。これに応じて、Ｂｕｃｏｍ２０１において測距処理が行われて焦点データが生成され、この焦点データに基づき、焦点調節に必要な撮影光学系１０２の駆動量が演算される。そして、ここで演算された駆動量に基づいて撮影光学系１０２の駆動が行われる（ステップＳ２２）。以下、上述したステップＳ４以降の処理を再び辿る。
【０１２７】
一方、上記ステップＳ２０において、第２レリーズがＯＦＦされたと判定された場合は、ステップＳ２３に分岐して、連写撮影が終了される。ステップＳ２３では、上述の撮影のコマ数だけの画像ファイル作成を行う。つまり、連写による撮影の各々のコマに対応する画像ファイル作成を行う（ステップＳ２３）。ここで、本実施形態では、コマ毎に作成された画像ファイルのヘッダ情報に、ステップＳ２及びステップＳ２２で生成された焦点データとステップＳ１及びステップＳ２１で生成された輝度データとを記録しておくようにする。
【０１２８】
また、上記ステップＳ１３において、連写モードではないと判定された場合は、ステップＳ１４に分岐する。ステップＳ１４においては、単写撮影による画像データの画像ファイル作成を行う（ステップＳ１４）。
【０１２９】
上記ステップＳ１４及び上記ステップＳ２３において作成された画像ファイルは、ステップＳ１５において、記録メディア２２１に記録される。
【０１３０】
その後、ステップＳ１６にて、第１レリーズスイッチがＯＮのままであるか否かが判定される（ステップＳ１６）。ステップＳ１６の判定において、第１レリーズスイッチがＯＮのままである場合には、ステップＳ１６からステップＳ１に戻る。一方、ステップＳ１６の判定において、第１レリーズスイッチがＯＦＦされた場合には、図８に示すフローチャートの処理が終了され、図示しないカメラ１のメインの処理に復帰する。
【０１３１】
以下、上述のようにして記録された画像データが再生される際の処理について、図９に示すフローチャートを参照して説明する。なお、同図に示すフローチャートにおける処理は、表示制御手段を構成するＢｕｃｏｍ２０１と画像処理コントローラ２１８とによって行われる。
【０１３２】
ユーザによって、再生モードボタン３１９が押され、カメラ１の動作モードが再生モードに切り替えられると、図９の処理が開始される。まずＦｌａｓｈＲＯＭ２２０又は記録メディア２２１に記録されている複数の画像の中で、最新の画像が液晶モニタ２２２に表示される（ステップＳ１０１）。ここで、最新の画像とは最後に撮影された画像のことである。ただし、その画像が連写撮影によって得られた画像の中の最後の画像の場合には、連写撮影の最初の画像が最新の画像として表示される。
【０１３３】
最新の画像データが液晶モニタ２２２に表示された後、この表示されている画像が参照画像に設定される（ステップＳ１０２）。この参照画像は、後述する画像検索処理において画像比較の基準となる画像のことである。
【０１３４】
続いて、十字ボタン３２４の右側が押されたか否かが判定される（ステップＳ１０３）。ステップＳ１０３の判定において、十字ボタン３２４の右側が押された場合には、ステップＳ１０３をステップＳ１１１に分岐して、現在、液晶モニタ２２２に表示されている画像の１つ前の画像が表示される（ステップＳ１１１）。なお、現在、液晶モニタ２２２に表示されている画像が、最初に撮影された画像である場合には、最後に撮影された画像が表示される。１つ前の画像が表示された後、ステップＳ１０７に進む。
【０１３５】
一方、ステップＳ１０３の判定において、十字ボタン３２４の右側が押されていない場合には、ステップＳ１０３をステップＳ１０４に分岐して、十字ボタン３２４の左側が押されたか否かが判定される（ステップＳ１０４）。ステップＳ１０４の判定において、十字ボタン３２４の左側が押された場合には、ステップＳ１０４をステップＳ１２１に分岐して、現在、液晶モニタ２２２に表示されている画像の１つ後の画像が表示される（ステップＳ１２１）。なお、現在、液晶モニタ２２２に表示されている画像が、最後に撮影された画像である場合には、最初に撮影された画像が表示される。１つ後の画像が表示された後、ステップＳ１０７に進む。
【０１３６】
一方、ステップＳ１０４の判定において、十字ボタン３２４の左側が押されていない場合には、ステップＳ１０４をステップＳ１０５に分岐して、十字ボタン３２４の上側が押されたか否かが判定される（ステップＳ１０５）。ステップＳ１０５の判定において、十字ボタン３２４の上側が押された場合には、ステップＳ１０５をステップＳ１３１に分岐して画像検索１の処理が行われる（ステップＳ１３１）。この画像検索１の処理については後述する。画像検索１の処理の終了後、画像検索１の処理によって検索された画像が液晶モニタ２２２に表示される（ステップＳ１３２）。画像が表示された後、ステップＳ１０７に進む。
【０１３７】
一方、ステップＳ１０５の判定において、十字ボタン３２４の上側が押されていない場合には、ステップＳ１０５をステップＳ１０６に分岐して、十字ボタン３２４の下側が押されたか否かが判定される（ステップＳ１０６）。ステップＳ１０６の判定において、十字ボタン３２４の下側が押された場合には、ステップＳ１０６をステップＳ１４１に分岐して画像検索２の処理が行われる（ステップＳ１４１）。この画像検索２の処理については後述する。画像検索２の処理の終了後、画像検索２の処理によって検索された画像が液晶モニタ２２２に表示される（ステップＳ１４２）。画像が表示された後、ステップＳ１０７に進む。
【０１３８】
以上の処理の後、再生モードボタン３１９又はレリーズボタン３０２が押されたか否かが判定される（ステップＳ１０７）。ステップＳ１０７の判定において、再生モードボタン３１９及びレリーズボタン３０２の何れも押されていない場合には、ステップＳ１０７をステップＳ１０２に分岐して、液晶モニタ２２２に現在表示されている画像が次の参照画像に設定される。一方、ステップＳ１０７の判定において、再生モードボタン３１９又はレリーズボタン３０２が押された場合には、図９の処理が終了され、カメラ１のメインの処理に復帰する。
【０１３９】
以下、図９に示すステップＳ１３１の画像検索１の処理について、図１０に示すフローチャートを参照して説明する。
【０１４０】
画像検索１の処理においては、まず、液晶モニタ２２２に表示されている１つ前の画像データが、読出手段としての画像処理コントローラ２１８を介して読み出される（ステップＳ２０１）。なお、現在、液晶モニタ２２２に表示されている画像が最初に撮影された画像である場合には、最後に撮影された画像が読み出される。
【０１４１】
次に、現在液晶モニタ２２２に表示されている画像データ（即ち、参照画像）が、ステップＳ２０１で新たに読み出された画像データ（以下、比較画像と称する）と比較され、参照画像と比較画像との一致度が比較される（ステップＳ２０２）。この参照画像との比較処理については後述する。
【０１４２】
次に、参照画像との比較処理の結果、参照画像と比較画像の一致度が高いか否かが判定される（ステップＳ２０３）。ステップＳ２０３の判定において、一致度が高い場合には、ステップＳ２０３をステップＳ２０１に分岐して、更に１つ前の画像が読み出される。
【０１４３】
一方、ステップＳ２０３の判定において、一致度が低い場合には、ステップＳ２０３をステップＳ２０４に分岐して、ステップＳ２０１で読み出された画像が、次に液晶モニタ２２２に表示される画像に選定される（ステップＳ２０４）。
【０１４４】
以下、図８に示すステップＳ１４１の画像検索２の処理について、図１１に示すフローチャートを参照して説明する。
【０１４５】
画像検索２の処理においては、まず、液晶モニタ２２２に表示されている１つ後の画像データがＦｌａｓｈＲＯＭ２２０や記録メディア２２１から画像処理コントローラ２１８を介して読み出される（ステップＳ２１１）。なお、現在、液晶モニタ２２２に表示されている画像が最後に撮影された画像である場合には、最初に撮影された画像が読み出される。
【０１４６】
次に、現在液晶モニタ２２２に表示されている参照画像が比較画像と比較され、参照画像と比較画像との一致度が判定される（ステップＳ２１２）。この参照画像との比較処理については後述する。
【０１４７】
次に、参照画像との比較処理の結果、参照画像と比較画像の一致度が高いか否かが判定される（ステップＳ２１３）。ステップＳ２１３の判定において、一致度が高い場合には、ステップＳ２１３をステップＳ２１１に分岐して、更に１つ後の画像が読み出される。
【０１４８】
一方、ステップＳ２１３の判定において、一致度が低い場合には、ステップＳ２１３をステップＳ２１４に分岐して、ステップＳ２１１で読み出された画像が、次に液晶モニタ２２２に表示される画像に選定される（ステップＳ２１４）。
【０１４９】
図１２は、図１０及び図１１のフローチャートに示す参照画像との比較処理について示すサブルーチンのフローチャートである。
【０１５０】
参照画像との比較処理においては、まず参照画像の焦点データが抽出される（ステップＳ３０１）。次に、比較画像の焦点データが抽出される（ステップＳ３０２）。そして、上記参照画像の焦点データと上記比較画像の焦点データとの差を演算する（ステップＳ３０３）。
【０１５１】
次に、ステップＳ３０３で算出された焦点データの差が所定値以上であるか否かが判定される（ステップＳ３０４）。なお、上記所定値としては、デフォルト値を設けてもよいし、所望の段階数（例えば、大、中、小の３段階など）を、ユーザが設定できるようにしても勿論よい。
【０１５２】
このステップＳ３０３の判定において、焦点データの差が所定値未満である場合には、参照画像と比較画像の一致度が高いと判定される（ステップＳ３０５）。具体的には、ステップＳ３０５では、両画像の焦点データの差が所定値未満である場合に、両画像の一致度を高いと判定し、所定の“一致度高いフラグ”をセットする。なお、その後リターンして、図１０に示すフローチャートにおけるＳ２０３、または図１１に示すフローチャートにおけるＳ２１３での判定に、本ステップの結果を使用する。
【０１５３】
一方、焦点データの差が所定量以上である場合には、参照画像と比較画像の一致度が低いと判定される（ステップＳ３０６）。具体的には、ステップＳ３０６では、両画像の焦点データの差が所定値以上である場合に、両画像の差が大きいすなわち両画像の一致度が低いと判定し、所定の“一致度高いフラグ“をクリアする。なお、その後リターンして、図１０に示すフローチャートにおけるＳ２０３、または図１１に示すフローチャートにおけるＳ２１３での判定に、本ステップの結果を使用する。
【０１５４】
上記ステップＳ３０６にて、一致度が低いと判定された画像は、図１０や図１１の処理において液晶モニタ２２２に次に表示される画像に選定される。同時に、該画像が参照画像に設定され、以後は該画像を基準にして、上述の比較が行われる。
【０１５５】
なお、どの程度まで類似していない画像を表示させるのかは、図１２のステップＳ３０４における所定値で決定される。この所定値をユーザが設定できるようにしても良い。
【０１５６】
次に、図１３を参照して、上記焦点データの一例について詳細に説明する。
【０１５７】
同図に示すグラフは、本実施形態に係るカメラを用いて５枚連続撮影した場合において、横軸に時間（撮影タイミング）を、縦軸に撮影光学系１０２の絶対的位置を示したグラフである。なお、撮影光学系１０２の絶対的位置とは、フォーカスカム（不図示）上の位置を示している。
【０１５８】
また、位置の単位としては、フォーカスエンコーダー（不図示）の示す値、またはレンズ駆動機構１０３内のレンズ駆動用のモータの回転に伴ってパルスを発生するＰＩ（フォトインターラプタ）のパルス数を用いる。なお、これら以外の値を、位置の単位として用いてもよいのは言うまでもない。ここでは、撮影光学系１０２が繰り出すとレンズ位置の値が大きくなり、逆に、繰り込むとレンズ位置の値が小さくなるとする。
【０１５９】
ここで、図１３に示すグラフにおける縦軸に対応するレンズ位置は、以下の状態における撮影光学系１０２の位置である。その状態とは、撮影光学系１０２が合焦状態となる状態である。この状態は、Ｂｕｃｏｍ２０１が演算した撮影光学系１０２の焦点状態（ＴＴＬ位相差方式の場合にはデフォーカス量）をＬｕｃｏｍ１０１に送信し、Ｌｕｃｏｍ１０１は該デフォーカス量からレンズ駆動機構１０３内の駆動モータの駆動量を演算して撮影光学系１０２を駆動することにより得られる。ここで、Ｌｕｃｏｍ１０１は、上記レンズ位置の値を焦点データとしてＢｕｃｏｍ２０１に送信する。
【０１６０】
以下、図１３に示すグラフを参照して、焦点データにおける一致度の判定について説明する。なお、ここでの焦点データとは、参照画像が撮影されたときのレンズ位置と、比較画像が撮影されたときのレンズ位置との差である。この差が所定値以上であれば一致度が低いと判定され、図９に示すフローチャートにおけるＳ１３２またはＳ１４２において再生表示画像が更新される。
【０１６１】
例えば、撮影１枚目の画像を参照画像とする。この場合、撮影時刻Ｔ１におけるレンズ位置Ｙ１が、参照画像におけるレンズ位置となる。これに対し、撮影２枚目の画像は比較画像となり、時刻Ｔ２におけるレンズ位置Ｙ２が、比較画像におけるレンズ位置となる。ここで、上記レンズ位置Ｙ１と上記レンズ位置Ｙ２との差は、図７（ｂ）に示す焦点データ比較部４２６により判定される。ここでは、一致度が高いと判定されて、撮影２枚目の画像が、再生表示画像とはならない場合を示している。
【０１６２】
以降、同図に示すように、撮影３枚目乃至撮影４枚目の画像までは、上記撮影２枚目の画像と同様に判定されて、再生表示画像とはならない。つまり、撮影４枚目の画像までは図１２に示すフローチャートのＳ３０５において、一致度が高いと判定されている場合である。
【０１６３】
ここで、撮影時刻Ｔ５でレンズ位置Ｙ５である撮影５枚目の画像において、初めて、上記参照画像におけるレンズ位置Ｙ１とのレンズ位置の差が大きい、つまり一致度が低いと判定される。つまり、図１２に示すフローチャートのＳ３０６において、一致度が低いと判定される。
【０１６４】
なお、ここでは、撮影光学系１０２の位置を焦点データとして利用する例を示したが、他にも焦点データとして、例えば以下のようなものが挙げられる。
【０１６５】
例えば、公知の外光パッシブＡＦが行われる場合には、被写体距離値を焦点データとして利用することができる。また、図１に示す一眼レフレックスカメラに多く採用されるＴＴＬ位相差ＡＦが行われる場合には、デフォーカス量や位相差値（左右の２像間隔値）も焦点データとして利用することができる。
【０１６６】
次に、本実施形態に係るカメラを用いた、高速連写による撮影で取得した一連の画像の中からベストショットを探し出す場合について、従来技術による同様の場合と比較しながら説明する。なお、図１４は、本実施形態に係るカメラによる場合を示す図であり、図１５は従来の技術による場合を示す図である。なお、図１４及び図１５は共に、被写体である電車が接近してくる様子を連写した画像である。
【０１６７】
まず、従来技術による場合は、図１５に示すように、（ａ）〜（ｅ）の５枚の画像が、たとえばユーザの操作により、順次液晶モニタに表示されてゆく。なお、各画像の詳細は、以下の通りである。
【０１６８】
（ａ）の画像が１枚目であり、その時の焦点データをＡＦ＿１とする（なお、後述する第２実施形態では、上記焦点データの代わりに輝度データを用いる。ここで、（ａ）における、輝度データをＡＥ＿１とする。）。
【０１６９】
（ｂ）の画像が２枚目であり、その時の焦点データをＡＦ＿２とする（輝度データをＡＥ＿２とする）。電車はやや接近している。
【０１７０】
（ｃ）の画像が３枚目であり、その時の焦点データをＡＦ＿３とする（輝度データをＡＥ＿３とする）。電車は（ｂ）における位置より、さらに接近している。
【０１７１】
（ｄ）の画像が４枚目であり、その時の焦点データをＡＦ＿４とする（輝度データをＡＥ＿４とする）。電車は（ｃ）における位置より、さらに接近している。
【０１７２】
（ｅ）の画像が５枚目であり、その時の焦点データをＡＦ＿５とする（輝度データをＡＥ＿５とする）。電車は（ｄ）における位置より、さらに接近している。
【０１７３】
ここで、従来の技術では、ユーザによる操作のたびに撮影した全ての画像データが順次表示させながら、ベストショットを探さなければならない。また、実際の場合には、撮影画像の枚数は５枚程度ではなく、高速連写により数十枚に及ぶ場合が多いと考えられる。したがって、上述した従来技術は非常に非効率的であると言える。
【０１７４】
次に、本実施形態に係るカメラを用いて上述の従来技術を用いた場合と同様の撮影を行った場合を説明する。したがって、図１４に示す撮影画像と図１５に示す撮影画像とについては、同じアルファベット符号が付された撮影画像同士は、同じ撮影画像である。
【０１７５】
まず、本実施形態に係るカメラでは、図１４（ａ）に示す撮影画像を参照画像とする。上記参照画像の次に撮影される画像は、当然図１５（ｂ）に示す撮影画像である。ここで、図１５（ｂ）に示す撮影画像は比較画像とされて、上記参照画像と、上述の表示データ選択部４２４（図７（ｂ）参照）により比較される。ここで、一致度が高いと判定された結果、図１５（ｂ）に示す撮影画像は、液晶モニタ２２２（図６参照）に表示されない。
【０１７６】
以降、図１５（ｃ）乃至（ｄ）まで、上記図１５（ｂ）の場合と同様に、液晶モニタ２２２に表示されない。
【０１７７】
このように、順次撮影画像を参照画像と比較していき、図１５（ｅ）（図１４（ｅ））に示す撮影画像において初めて、表示データ選択部４２４によって、一致度が低いと判定される。したがって、図１５（ｅ）（図１４（ｅ））に示す撮影画像が、液晶モニタ２２２に表示される。
【０１７８】
つまり、本実施形態に掛かるカメラを用いれば、図１５から分かるように、図１５（ａ）（図１４（ａ））に示す撮影画像の直後に、図１５（ｅ）（図１４（ｅ））に示す撮影画像を、液晶モニタ２２２に表示させることができる。このように、本実施形態に係るカメラでは、撮影画像の中からベストショットを検索する場合において、従来技術と比べて格段に手間を省くことができる。なお、このような再生画像表示のための操作は、上述したように、ユーザが、上記十字ボタン３２４を押すことで操作する。また、他のボタンを押すことで、該操作を行えるようにしても勿論よい。
【０１７９】
以上説明したように、本第１実施形態によれば、連写によって得られた複数の画像を液晶モニタ２２２上に表示させる際に、十字ボタン３２４の右側若しくは左側のボタンが操作された場合は、単写、連写にかかわらず、順番に１枚ずつ表示される。一方、十字ボタン３２４の上側若しくは下側が操作された場合は、液晶モニタ２２２に表示されている画像と大きく異なる画像のみが表示される（本実施形態においては、この大きく異なる画像の選択には、上述した焦点データを用いる）。なお、本実施形態では、これにより、連写によって大量の画像が撮影されていても、画像の確認を効率良く行うことができ、ベストショットを簡単に探すことができる。また、この効果は、連写による撮影画像が多いほど有効に働く。
【０１８０】
［第２実施形態］
以下、本発明の第２実施形態について説明する。
【０１８１】
なお、本実施形態と上記第１実施形態との相違点は、図１０に示すステップＳ２０２及び図１１に示すステップＳ２１２である参照画像と比較画像との比較処理の方法である。具体的には、上記第１実施形態では焦点データに基づいて行った該比較処理を、本実施形態においては輝度データに基づいて行う。
【０１８２】
なお、本実施形態に係るカメラは、上記第１実施形態に係るカメラと同様の構成を採り、また、動作制御においても、上述の相違点を除いて上記第１実施形態と同様の動作制御を行う。したがって、本実施形態に係るカメラの特徴を浮き立たせるために、上記第１実施形態に係るカメラと同様の構成及び動作制御に関する説明は、ここでは省略する。
【０１８３】
なお、図６に示す測光回路２０４に含まれる輝度センサは、撮影画面の複数の領域において測光が可能な多分割測光センサであるとする。また、該多分割測光センサの出力に基づいて、撮影画面における各領域の輝度値は、Ｂｕｃｏｍ２０１により演算されるとする。また、図６に示すＡＦセンサユニット２０５は、複数の領域の焦点を検出するマルチＡＦに対応しているとする。
【０１８４】
以下、本実施形態で用いる輝度データについて詳しく説明する。
【０１８５】
まず、輝度データとして採用することのできるデータを、以下にいくつか列挙する。
【０１８６】
《１》撮影画面の平均的な測光値
複数の測光領域における輝度値の平均値を演算した結果を輝度データとする。    なお、この場合、撮影画面中央の輝度値を、撮影画面の他の領域における輝度値よりも重要視した輝度データを求めることができる。これを中央領域重点平均測光と呼ぶ。この中央領域重点平均測光を行うためには、撮影画面中央領域における輝度値にウェイトを置いた演算を行えばよい。
【０１８７】
《２》指定領域の測光値
所定の領域のみでの測光（スポット測光）を行い、該領域における輝度値を演算して輝度データとする。
【０１８８】
《３》ＡＦ選択領域の測光値
上述のマルチＡＦにより最終的に選択された焦点検出領域に最も近い測光領域において測光を行い、該測光の結果を輝度データとする。つまり、焦点検出領域近傍の領域における測光値を輝度データとして採用する。この手法は、ＡＦで選択された領域に主要被写体が存在する可能性が高いことを考慮に入れた手法である。
【０１８９】
本実施形態においては、以上示したような輝度データを用いて、一致度を判定する。なお、輝度データとして採用することのできるデータは、上述した輝度データに限らないことは言うまでも無い。
【０１９０】
以下、図１６に示すサブルーチンのフローチャートを参照しながら、本実施形態に係るカメラにおける、参照画像と比較画像との比較処理について説明する。
【０１９１】
図１６は、図１０及び図１１のフローチャートに示す参照画像との比較処理について示すサブルーチンのフローチャートである。
【０１９２】
参照画像との比較処理においては、まず参照画像の輝度データが抽出される（ステップＳ４０１）。次に、比較画像の輝度データが抽出される（ステップＳ４０２）。そして、上記参照画像の輝度データと上記比較画像の輝度データとの差を演算する（ステップＳ４０３）。
【０１９３】
次に、ステップＳ４０３で算出された輝度データの差が所定値以上であるか否かが判定される（ステップＳ４０４）。なお、上記所定値としては、デフォルト値を設けてもよいし、所望の段階数（例えば、大、中、小の３段階など）を、ユーザが設定できるようにしても勿論よい。
【０１９４】
このステップＳ４０３の判定において、焦点データの差が所定値未満である場合には、参照画像と比較画像の一致度が高いと判定される（ステップＳ４０５）。具体的には、ステップＳ４０５では、両画像の焦点データの差が所定値未満である場合に、両画像の一致度を高いと判定し、所定の“一致度高いフラグ”をセットする。なお、その後リターンして、図１０に示すフローチャートにおけるＳ２０３、または図１１に示すフローチャートにおけるＳ２１３での判定に、本ステップの結果を使用する。
【０１９５】
一方、輝度データの差が所定量以上である場合には、参照画像と比較画像の一致度が低いと判定される（ステップＳ４０６）。具体的には、ステップＳ４０６では、両画像の焦点データの差が所定値以上である場合に、両画像の差が大きいすなわち両画像の一致度が低いと判定し、所定の“一致度高いフラグ“をクリアする。なお、その後リターンして、図１０に示すフローチャートにおけるＳ２０３、または図１１に示すフローチャートにおけるＳ２１３での判定に、本ステップの結果を使用する。
【０１９６】
上記ステップＳ４０６にて、一致度が低いと判定された画像は、図１０や図１１の処理において液晶モニタ２２２に次に表示される画像に選定される。同時に、該画像が参照画像に設定され、以後は該画像を基準にして、上述の比較が行われる。
【０１９７】
なお、どの程度まで類似していない画像を表示させるのかは、図１２のステップＳ４０４における所定値で決定される。この所定値をユーザが設定できるようにしても良い。
【０１９８】
以上説明したように、本第２実施形態によれば、連写によって得られた複数の画像を液晶モニタ２２２上に表示させる際に、十字ボタン３２４の右側若しくは左側のボタンが操作された場合は、単写、連写にかかわらず、順番に１枚ずつ表示される。一方、十字ボタン３２４の上側若しくは下側が操作された場合は、液晶モニタ２２２に表示されている画像と大きく異なる画像のみが表示される（本実施形態においては、この大きく異なる画像の選択には、上述した輝度データを用いる）。なお、本実施形態では、これにより、連写によって大量の画像が撮影されていても、画像の確認を効率良く行うことができ、ベストショットを簡単に探すことができる。また、この効果は、連写の間隔が短いほど有効に働く。
【０１９９】
以上、実施形態に基づいて本発明を説明したが、本発明は上述した実施形態に限定されるものではなく、本発明の要旨の範囲内で種々の変形及び応用が可能なことは勿論である。たとえば、第１実施形態と第２実施形態とを組み合わせて、焦点データ及び輝度データの双方を、参照画像と比較画像とにおける一致度の判定に使用しても勿論よい。
【０２００】
また、ここでは一眼レフレックスカメラを例に説明したが、本発明は、山登りＡＦを採用するコンパクトカメラにも勿論適用できる。この場合は、焦点データ及び輝度データの取得方法のみが変わるだけである。すなわち、撮像素子で得られた所定領域の画像信号を累積加算することで得られるＡＦ評価値、ＡＥ評価値をそれぞれ焦点データ及び輝度データとすることができる。
【０２０１】
さらに、上述した実施形態には種々の段階の発明が含まれており、開示される複数の構成要件の適当な組み合わせにより種々の発明が抽出され得る。例えば、実施形態に示される全構成要件からいくつかの構成要件を削除した場合であっても、発明が解決しようとする課題の欄で述べた課題が解決でき、発明の効果の欄で述べた効果を得ることができる場合には、当該構成要件が削除された構成も発明として抽出され得る。
【図面の簡単な説明】
【０２０２】
【図１】本発明の第１実施形態に係るカメラの構成を示すために、該デジタルカメラ本体の一部を切断した場合に目視することができる内部構成を概略的に示した斜視図。
【図２】本発明の第１実施形態に係るカメラ内部の回路構成を詳細に示したブロック図。
【図３】本発明の第１実施形態に係るカメラの上面図。
【図４】本発明の第１実施形態に係るカメラの正面図。
【図５】本発明の第１実施形態に係るカメラの側面図。
【図６】本発明の第１実施形態に係るカメラの背面図。
【図７】本発明の第１実施形態に係るデジタルカメラにおける、画像記録時及び画像再生表示時における制御の流れの概念図。（ａ）は、画像記録時（連続撮影モード時）における制御に関する概念図。（ｂ）は、画像再生表示時における制御に関する概念図。
【図８】本発明の第１実施形態に係るカメラの撮影時における動作制御のフローチャート。
【図９】画像データが再生される際の処理について示すフローチャート。
【図１０】画像検索１の処理について示すフローチャート。
【図１１】画像検索２の処理について示すフローチャート。
【図１２】参照画像と比較画像との比較処理について示すサブルーチンのフローチャート。
【図１３】本発明の第１実施形態に係るカメラを用いて５枚連続撮影した場合において、横軸に時間（撮影タイミング）を、縦軸に撮影光学系１０２の絶対的位置を示したグラフ。
【図１４】本発明の第１実施形態に係るカメラを用いて、高速連写による撮影で取得した一連の画像の中からベストショットを探し出す場合の１例を示す図。
【図１５】従来技術により、高速連写で撮影で取得した一連の画像の中からベストショットを探し出す場合の例を示す図。
【図１６】参照画像と比較画像との比較処理について示すサブルーチンのフローチャート。
【符号の説明】
【０２０３】
１…カメラ、  １００…レンズ鏡筒、  １０１…レンズ制御用マイクロコンピュータ、  １０１ａ…通信コネクタ、  １０２…撮影光学系、  １０３…レンズ駆動機構、  １０５…絞り駆動機構、  ２００…カメラ本体、  ２００ａ…撮影光学系装着部、  ２００ｂ…回路基板、  ２０１…ボディ制御用マイクロコンピュータ、  ２０２…ファインダ装置、  ２０２ａ…メインミラー、  ２０２ｂ…フォーカシングスクリーン、  ２０２ｃ…ペンタプリズム、  ２０２ｄ…接眼レンズ、  ２０３…サブミラー、  ２０４…測光回路、  ２０５…ＡＦセンサユニット、  ２０６…ＡＦセンサ駆動回路、  ２０７…ミラー駆動機構、  ２０８…シャッタ部、  ２０９…シャッタチャージ機構、  ２１０…シャッタ制御回路、  ２１１…撮像ユニット、  ２１２…撮像素子、  ２１３…防塵フィルタ、  ２１４…圧電素子、  ２１５…防塵フィルタ駆動回路、  ２１６…温度測定回路、  ２１７…撮像インターフェイス回路、  ２１８…画像処理コントローラ、  ２１９…バッファメモリ、  ２２０…ＲＯＭ、  ２２１…記録メディア、  ２２２…液晶モニタ、  ２２３…不揮発性メモリ、  ２２４…電源回路、  ２２５…電池、  ２２６…動作表示用ＬＣＤ、  ２２７…カメラ操作スイッチ、  ３０１…パワースイッチレバー、  ３０２…レリーズボタン、  ３０３…モードダイヤル、  ３０４…サブダイヤル、  ３０５…ＩＳＯボタン、  ３０６…露出補正ボタン、  ３０７…ホワイトバランスボタン、  ３０８…画質モードボタン、  ３０９…フラッシュモードボタン、  ３１０…ＬＩＧＨＴボタン、  ３１１…ワンタッチホワイトバランスボタン、  ３１２…オートブラケットボタン、  ３１３…測光モードボタン、  ３１４…ＤＲＩＶＥモードボタン、  ３１５…フォーカスモードレバー、  ３１６…メインダイヤル、  ３１７…ＡＦフレームボタン、  ３１８…ＡＥロックボタン、  ３１９…再生モードボタン、  ３２０…消去ボタン、  ３２１…プロテクトボタン、  ３２２…情報表示ボタン、  ３２３…メニューボタン、  ３２４…十字ボタン、  ３２５…ＯＫボタン、  ４００…撮像部、  ４０２…画像処理部、  ４０４…記録メディア、  ４０６…画像データ、  ４０８…焦点検出センサ、  ４１０…焦点演算部、  ４１２…焦点データ、  ４１４…輝度検出センサ、  ４１６…輝度演算部、  ４１８…輝度データ、  ４２０…画像選択操作部、  ４２２…画像表示部、  ４２４…表示データ選択部、  ４２６…焦点データ比較部、  ４２８…輝度データ比較部。
【図１】
2006238277.tif 000003
【図２】
2006238277.tif 000004
【図３】
2006238277.tif 000005
【図４】
2006238277.tif 000006
【図５】
2006238277.tif 000007
【図６】
2006238277.tif 000008
【図７】
2006238277.tif 000009
【図８】
2006238277.tif 000010
【図９】
2006238277.tif 000011
【図１０】
2006238277.tif 000012
【図１１】
2006238277.tif 000013
【図１２】
2006238277.tif 000014
【図１３】
2006238277.tif 000015
【図１４】
2006238277.tif 000016
【図１５】
2006238277.tif 000017
【図１６】
2006238277.tif 000018